(57)【要約】【課題】スペクトル共用に使用可能な方法、装置およびコンピュータ・プログラム・プロダクト。【解決手段】本願発明は、少なくとも１つのプロセッサと、そのプロセッサにより実行される命令を格納するための少なくとも１つのメモリを備え、前記少なくとも１つのメモリと、前記命令とは、前記少なくとも１つのプロセッサで、前記装置に、少なくとも、サービス・エリアにおけるローカル・エリア動作モードの共用使用のためのスペクトルに関する情報を得ることをさせ、ここで、該動作モードは、マクロ・セル制御された近傍ベース動作モードおよび小セル動作モードであり、前記マクロ・セル制御された近傍ベース動作モードの発見プロセスを可能にするタイミング基準を決定させ、前記スペクトルの共用使用に関する情報を得ることをさせ、かつ、前記タイミング基準および共用使用に関して得られた前記情報に基づいて、前記小セル動作モードを制御させるように構成される、装置に関連する。【選択図】図２
2016541159.tif 000002
【特許請求の範囲】
【請求項１】
サービス・エリアにおけるローカル・エリア動作モードの共用使用のためのスペクトルに関する情報を得るステップであって、該動作モードは、マクロ・セル制御された近傍ベース動作モードおよび小セル動作モードである、ステップと、マクロ・セル制御された近傍ベース動作モードの発見プロセスを可能にするタイミング基準を決定するステップと、
前記スペクトルの共用使用に関する情報を得るステップと、
前記タイミング基準および共用使用に関して得られた前記情報に基づいて、前記小セル動作モードを制御するステップと、
を含む方法。
【請求項２】
前記小セル動作モードは、前記マクロ・セル制御された近傍ベース動作モードに関して共用スペクトルを使用する優先度を有する、請求項１に記載の方法。
【請求項３】
前記制御するステップは、前記マクロ・セル制御された近傍ベース動作モードおよび小セル動作モードの前記発見プロセスをコーディネートするステップを含む、請求項１または２に記載の方法。
【請求項４】
前記制御するステップは、
近傍ベース動作のマクロ・セル制御された動作モードから小セル制御動作モードへのダイレクションを受信すること、または、標示に基づいて、スペクトルおよび／またはスケジューリング・リソースについての共用使用の可能性を仲裁し、通信することができるリソースの使用の標示を得ることにより、前記マクロ・セル制御された近傍ベース動作モードと前記小セル動作モードとの間の前記共用スペクトルの干渉をコーディネートするステップを含む、請求項１または２に記載の方法。
【請求項５】
前記タイミング基準は、マクロ・セルのダウンリンク・タイミングに基づいている、請求項１ないし４のいずれか１項に記載の方法。
【請求項６】
マルチ・オペレータ・ケースにおいて、前記タイミング基準は、選択されたマクロ・セルのダウンリンク・タイミングに基づいている、請求項１ないし５のいずれか１項に記載の方法。
【請求項７】
前記タイミング基準は、前記スペクトル上の同期基準信号を測定することに基づいている、請求項１ないし６のいずれか１項に記載の方法。
【請求項８】
前記スペクトル上のラジオ・リソース使用を測定し、レポートすることをユーザに命じるステップと、
前記スペクトル上の前記ラジオ・リソース使用をマクロ・セルに通信するステップと、
を更に含む、請求項１ないし７のいずれか１項に記載の方法。
【請求項９】
少なくとも１つのプロセッサと、該プロセッサによって実行される命令を格納するための少なくとも１つのメモリとを備える装置であって、
前記少なくとも１つのメモリと、前記命令とは、前記少なくとも１つのプロセッサにより、前記装置に、少なくとも、
サービス・エリアにおけるローカル・エリア動作モードの共用使用のためのスペクトルに関する情報を得ることをさせ、ここで、該動作モードは、マクロ・セル制御された近傍ベース動作モードおよび小セル動作モードであり、
マクロ・セル制御された近傍ベース動作モードの発見プロセスを可能にするタイミング基準を決定させ、
前記スペクトルの共用使用に関する情報を得させ、前記タイミング基準および共用使用に関して得られた前記情報に基づいて、前記小セル動作モードを制御させる
ように構成される、装置。
【請求項１０】
前記小セル動作モードは、前記マクロ・セル制御された近傍ベース動作モードに関して前記共用スペクトルを使用する優先度を有する、請求項９に記載の装置。
【請求項１１】
前記少なくとも１つのメモリおよび前記命令は、さらに、前記少なくとも１つのプロセッサで、前記装置に、少なくとも、前記マクロ・セル制御された近傍ベース動作モードおよび小セル動作モードの前記発見プロセスをコーディネートすることを制御させるように構成される、請求項９ないし１０のいずれか１項に記載の装置。
【請求項１２】
前記少なくとも１つのメモリおよび前記命令は、さらに、前記少なくとも１つのプロセッサで、前記装置に、少なくとも、
近傍ベース動作のマクロ・セル制御された動作モードから小セル制御動作モードへのダイレクションを受信すること、または、該標示に基づいて、スペクトルおよび／またはスケジューリング・リソースについての共用使用の可能性を仲裁し、通信することができるリソースの使用の標示を得ることにより、前記マクロ・セル制御された近傍ベース動作モードと前記小セル動作モードとの間の前記共用スペクトルの干渉をコーディネートすることを制御させるように構成される、請求項９ないし１０のいずれか１項に記載の装置。
【請求項１３】
前記タイミング基準は、マクロ・セルのダウンリンク・タイミングに基づいている、請求項９ないし１２のいずれか１項に記載の装置。
【請求項１４】
マルチ・オペレータ・ケースにおいて、前記タイミング基準は、選択されたマクロ・セルのダウンリンク・タイミングに基づいている、請求項９ないし１３のいずれか１項に記載の装置。
【請求項１５】
前記タイミング基準は、前記スペクトル上の同期基準信号を測定することに基づいている、請求項９ないし１４のいずれか１項に記載の装置。
【請求項１６】
前記少なくとも１つのメモリおよび前記命令は、さらに、前記少なくとも１つのプロセッサで、前記装置に、少なくとも、
前記スペクトル上のラジオ・リソース使用を測定し、レポートすることをユーザに命じさせ、前記スペクトル上の前記ラジオ・リソース使用をマクロ・セルに通信させるように構成される、請求項９ないし１５のいずれか１項に記載の装置。
【請求項１７】
小セル動作モードと共用スペクトルを使用する前記マクロ・セル制御された近傍ベース動作モードの発見プロセスを可能にするタイミング基準を決定するステップと、
前記共用スペクトルを使用する、マクロ・セル制御された近傍ベース動作モードおよび小セル動作モードに比例した干渉に関して情報を得るステップと、
前記タイミング基準および前記干渉に関する情報に基づいて、前記共用スペクトルを使用する前記マクロ・セル制御された近傍ベース動作モードを制御するステップと、
を含む方法。
【請求項１８】
前記共用スペクトルの使用に関する情報を得るステップと、
制御目的のために前記共用スペクトルの使用に関する情報を通信するステップと、
を更に含む請求項１７に記載の方法。
【請求項１９】
前記タイミング基準は、制御することに責任を持つ前記マクロ・セルのダウンリンク・タイミングに基づいている、請求項１７または１８に記載の方法。
【請求項２０】
マルチ・オペレータ・ケースにおいて、前記タイミング基準は、複数のマクロ・セルから選択された１つのマクロ・セルのダウンリンク・タイミングに基づいている、請求項１７または１８に記載の方法。
【請求項２１】
近傍ベース通信ができるユーザ・デバイスおよび／または小セル・ノードに、前記スペクトル上の前記ラジオ・リソース使用を測定し、報告することを命じるステップを更に含む請求項１７ないし１９のいずれか１項に記載の方法。
【請求項２２】
前記マクロ・セル制御された近傍ベース動作モードを共用スペクトルから他のスペクトルに、または、通常のセルラ動作モードにスイッチすること、近傍ベース動作を、前記マクロ・セル制御された近傍ベース動作モードから小セル制御近傍ベース動作モードに、スペクトル変更することなく、リダイレクトすること、または、前記スペクトル上の前記マクロ・セル制御された近傍ベース動作モードの前記小セル動作モードを制御している前記小セル、および／または、干渉することができるリソースの使用を示すこと、により、前記マクロ・セル制御された近傍ベース動作モードと前記小セル動作モードとの間の干渉調整を実行するステップを更に含む請求項１７ないし２１のいずれか１項に記載の方法。
【請求項２３】
少なくとも１つのプロセッサと、該プロセッサによって実行される命令を格納するための少なくとも１つのメモリとを備える装置であって、
前記少なくとも１つのメモリと、前記命令とは、前記少なくとも１つのプロセッサで、前記装置に、少なくとも、
小セル動作モードとの共用スペクトルを使用する前記マクロ・セル制御された近傍ベース動作モードの発見プロセスを可能にするタイミング基準を決定させ、
前記共用スペクトルを使用した、前記マクロ・セル制御された近傍ベース動作モードおよび小セル動作モードに比例した干渉に関する情報を得ることをさせ、
前記タイミング基準および前記干渉に関する前記情報に基づいて、前記共用スペクトルを使用する前記マクロ・セル制御された近傍ベース動作モードを制御させる
ように構成される、装置。
【請求項２４】
前記少なくとも１つのメモリおよび前記命令は、さらに、前記少なくとも１つのプロセッサにより、前記装置に、少なくとも、前記共用スペクトルの前記使用に関する情報を得ることをさせ、制御目的のために、前記共用スペクトルの使用に関する情報を通信させるように構成される、請求項２３に記載の装置。
【請求項２５】
前記タイミング基準は、制御することに責任を持つ前記マクロ・セルのダウンリンク・タイミングに基づいている、請求項２３または２４に記載の装置。
【請求項２６】
マルチ・オペレータ・ケースにおいて、前記タイミング基準は、複数のマクロ・セルから選択された１つのマクロ・セルのダウンリンク・タイミングに基づいている、請求項２３ないし２４のいずれか１項に記載の装置。
【請求項２７】
前記少なくとも１つのメモリおよび前記命令は、さらに、前記少なくとも１つのプロセッサで、前記装置に、少なくとも、近傍ベース通信ができるユーザ・デバイスおよび／または小セル・ノードに、前記スペクトル上の前記ラジオ・リソース使用を測定し、報告することを命じさせるように構成される、請求項２３ないし２６のいずれか１項に記載の装置。
【請求項２８】
前記少なくとも１つのメモリおよび前記命令は、さらに、前記少なくとも１つのプロセッサで、前記装置に、少なくとも、
前記マクロ・セル制御された近傍ベース動作モードを共用スペクトルから他のスペクトルに、または、通常のセルラ動作モードにスイッチすること、近傍ベース動作を、前記マクロ・セル制御された近傍ベース動作モードから小セル制御近傍ベース動作モードに、スペクトル変更することなく、リダイレクトすること、または、前記スペクトル上の前記マクロ・セル制御された近傍ベース動作モードの前記小セル動作モードを制御している前記小セル、および／または、干渉することができるリソースの使用を示すこと、により、前記マクロ・セル制御された近傍ベース動作モードと前記小セル動作モードとの間の干渉調整を実行させるように構成される、請求項２３ないし２７のいずれか１項に記載の装置。
【請求項２９】
コンピュータ上で動作するとき、請求項１ないし８のいずれか１項に記載の、あるいは、請求項１７ないし２２のいずれか１項に記載のステップを実行するためのソフトウェア・コード部分を備えるコンピュータのコンピュータ・プログラム・プロダクト。
【請求項３０】
前記コンピュータ・プログラム・プロダクトは、前記ソフトウェア・コード部が格納されるコンピュータ読取り可能メディアを備える、および／または、前記コンピュータ・プログラム・プロダクトは、前記コンピュータの内蔵メモリに直接ロード可能である、および／または、ネットワークを介して、アップロード、ダウンロード、および、プッシュ手続きのうちの少なくとも１つの手段により送信可能である、請求項２９に記載のコンピュータ・プログラム・プロダクト。
【発明の詳細な説明】
【技術分野】
【０００１】
実施形態は、一般に、通信ネットワークやサービスに関連し、より具体的には、スペクトル共用に使用可能な方法、装置およびコンピュータ・プログラム・プロダクトに関連する。
【背景技術】
【０００２】
以下の背景技術の記載は、洞察、発見、理解または開示、あるいは、本願発明の前には関連技術分野で知られていなかったが、本願発明によって提供された開示との連想を含むことができる。いくつかの本願発明のそのような貢献は、特に、下記で指摘することができる。一方、他の本願発明のそのような貢献は、それらのコンテキストから明らかである。
【０００３】
モバイル・データ伝送およびデータ・サービスは、絶えず進歩している。ここで、そのようなサービスは、音声、ビデオ、パケット・データ、メッセージ送信、ブロードキャスト、その他の種々の通信サービスを提供する。近年、ＬＴＥ（Ｌｏｎｇ  Ｔｅｒｍ  Ｅｖｏｌｕｔｉｏｎ）が、定められた。これは、３ＧＰＰ仕様にしたがってラジオ通信アーキテクチャとしてＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を使用する。近年、そのようなシステムおよびそれらのネットワーク要素は、デバイス対デバイス・サービス（Ｄ２Ｄ：Ｄｅｖｉｃｅ−ｔｏ−Ｄｅｖｉｃｅ）と並んで、近傍通信サービス（ＰｒｏＳｅ：  Ｐｒｏｘｉｍｉｔｙ−ｂａｓｅｄ  Ｓｅｒｖｉｃｅｓ）もまた、可能にする。
【発明の概要】
【０００４】
本願発明の態様にしたがって、例えば、サービス・エリアにおけるローカル・エリア動作モードの共用使用のためのスペクトルに関する情報を得るステップであって、該動作モードは、マクロ・セル制御された近傍ベース動作モードおよび小セル動作モードである、ステップと、前記マクロ・セル制御された近傍ベース動作モードの発見プロセスを可能にするタイミング基準を決定するステップと、前記スペクトルの共用使用に関する情報を得るステップと、前記タイミング基準および共用使用に関して得られた前記情報に基づいて、前記小セル動作モードを制御するステップと、を含む方法が提供される。
【０００５】
本願発明の別の態様にしたがって、例えば、少なくとも１つのプロセッサと、該プロセッサによって実行される命令を格納するための少なくとも１つのメモリとを備える装置であって、前記少なくとも１つのメモリと、前記命令とは、前記少なくとも１つのプロセッサにより、前記装置に、少なくとも、サービス・エリアにおけるローカル・エリア動作モードの共用使用のためのスペクトルに関する情報を得ることをさせ、ここで、該動作モードは、マクロ・セル制御された近傍ベース動作モードおよび小セル動作モードであり、前記マクロ・セル制御された近傍ベース動作モードの発見プロセスを可能にするタイミング基準を決定させ、前記スペクトルの共用使用に関する情報を得させ、前記タイミング基準および共用使用に関して得られた前記情報に基づいて、前記小セル動作モードを制御させるように構成される、装置が提供される。
【０００６】
本願発明の特定の実施形態にしたがって、前記小セル動作モードは、前記マクロ・セル制御された近傍ベース動作モードに関して前記共用スペクトルを使用する優先度を有する。
【０００７】
本願発明の特定の実施形態にしたがって、制御するステップは、前記マクロ・セル制御された近傍ベース動作モードおよび小セル動作モードの前記発見プロセスをコーディネートするステップを含む。
【０００８】
本願発明の特定の実施形態にしたがって、前記制御するステップは、近傍ベース動作のマクロ・セル制御された動作モードから小セル制御動作モードへのダイレクションを受信することによって、または、該標示に基づいて、スペクトルおよび／またはスケジューリング・リソースについての共用使用の可能性を仲裁し、通信することができるリソースの使用の標示を得ることよって、前記マクロ・セル制御された近傍ベース動作モードと前記小セル動作モードとの間の前記共用スペクトルの干渉をコーディネートするステップを含む。
【０００９】
本願発明の特定の実施形態にしたがって、前記タイミング基準は、マクロ・セルのダウンリンク・タイミングに基づいている。
【００１０】
本願発明の特定の実施形態にしたがって、マルチ・オペレータ・ケースにおいて、前記タイミング基準は、選択されたマクロ・セルのダウンリンク・タイミングに基づいている。
【００１１】
本願発明の特定の実施形態にしたがって、前記タイミング基準は、前記スペクトル上の同期基準信号を測定することに基づいている。
【００１２】
さらに、本願発明の特定の実施形態にしたがって、ユーザは、前記スペクトル上の前記ラジオ・リソース使用を測定し、報告することと、前記スペクトル上の前記ラジオ・リソース使用をマクロ・セルに通信することとを命じられ得る。
【００１３】
本願発明のさらに別の態様にしたがって、例えば、小セル動作モードとの共用スペクトルを使用する前記マクロ・セル制御された近傍ベース動作モードの発見プロセスを可能にするタイミング基準を決定するステップと、前記共用スペクトルを使用した、前記マクロ・セル制御された近傍ベース動作モードおよび小セル動作モードに比例した干渉に関して情報を得るステップと、前記タイミング基準および前記干渉に関する前記情報に基づいて、前記共用スペクトルを使用する前記マクロ・セル制御された近傍ベース動作モードを制御するステップと、を含む方法が提供される。
【００１４】
本願発明の別の態様にしたがって、例えば、少なくとも１つのプロセッサと、該プロセッサによって実行される命令を格納するための少なくとも１つのメモリとを備える装置であって、前記少なくとも１つのメモリと、前記命令とは、前記少なくとも１つのプロセッサで、前記装置に、少なくとも、小セル動作モードとの共用スペクトルを使用する前記マクロ・セル制御された近傍ベース動作モードの発見プロセスを有効にするためのタイミング基準を決定させ、前記共用スペクトルを使用した、前記マクロ・セル制御された近傍ベース動作モードおよび小セル動作モードに比例した干渉に関する情報を得ることをさせ、前記タイミング基準および前記干渉に関する前記情報に基づいて、前記共用スペクトルを使用する前記マクロ・セル制御された近傍ベース動作モードを制御させるように構成される、装置が提供される。
【００１５】
さらに、本願発明の特定の実施形態にしたがって、共用スペクトルの使用に関する情報を、得ることができ、共用スペクトルの使用法に関する情報を、制御目的のために、通信することができる。
【００１６】
さらに、本願発明の特定の実施形態にしたがって、前記タイミング基準は、制御することに責任を持つ前記マクロ・セルのダウンリンク・タイミングに基づいている。
【００１７】
さらに、本願発明の特定の実施形態にしたがって、マルチ・オペレータ・ケースにおいて、前記タイミング基準は、複数のマクロ・セルから選択された１つのマクロ・セルのダウンリンク・タイミングに基づいている。
【００１８】
さらに、本願発明の特定の実施形態にしたがって、近傍ベース通信ができるユーザ・デバイスおよび／または小セル・ノードは、前記スペクトル上の前記ラジオ・リソース使用を測定し、報告することを命じられることがあり得る。
【００１９】
さらに、本願発明の特定の実施形態にしたがって、マクロ・セル制御された近傍ベース動作モードと小セル動作モードとの間の干渉調整は、前記マクロ・セル制御された近傍ベース動作モードを共用スペクトルから他のスペクトルに、または、通常のセルラ動作モードにスイッチし、近傍ベース動作を、前記マクロ・セル制御された近傍ベース動作モードから小セル制御近傍ベース動作モードに、スペクトル変更することなく、リダイレクトすること、または、干渉することができるスペクトルおよび／またはリソースの使用についての前記マクロ・セル制御された近傍ベース動作モードの前記小セル動作モードを制御している前記小セルを示すこと、によって、実行されることができる。
【００２０】
本願発明のさらに別の態様にしたがって、プログラムが動くとき、サービス・エリアにおけるローカル・エリア動作モードの共用使用のためのスペクトルに関する情報を得るステップであって、該動作モードは、マクロ・セル制御された近傍ベース動作モードおよび小セル動作モードである、ステップと、前記マクロ・セル制御された近傍ベース動作モードの発見プロセスを可能にするタイミング基準を決定するステップと、前記スペクトルの共用使用に関する情報を得るステップと、前記タイミング基準および共用使用に関して得られた前記情報に基づいて、前記小セル動作モードを制御するステップと、を実行するように構成されるコンピュータ実行可能コンポーネントを備えるコンピュータ・プログラム・プロダクトが提供される。
【００２１】
本願発明のさらに別の態様にしたがって、プログラムが動くとき、小セル動作モードとの共用スペクトルを使用する前記マクロ・セル制御された近傍ベース動作モードの発見プロセスを可能にするタイミング基準を決定するステップと、前記共用スペクトルを使用した、前記マクロ・セル制御された近傍ベース動作モードおよび小セル動作モードに比例した干渉に関して情報を得るステップと、前記タイミング基準および前記干渉に関する前記情報に基づいて、前記共用スペクトルを使用する前記マクロ・セル制御された近傍ベース動作モードを制御するステップと、を実行するように構成されるコンピュータ実行可能コンポーネントを備えるコンピュータ・プログラム・プロダクトが提供される。
【００２２】
コンピュータ・プログラム・プロダクトは、前記ソフトウェア・コード部が格納されるコンピュータ読取り可能メディアを備えることができる。更にまた、上記のコンピュータ・プログラム・プロダクトは、前記コンピュータの内蔵メモリに直接ロード可能ですることができ、および／または、ネットワークを介して、アップロード、ダウンロード、および、プッシュ手続きのうちの少なくとも１つの手段により送信可能であることができる。
【００２３】
本願発明の別の態様にしたがって、サービス・エリアにおけるローカル・エリア動作モードの共用使用のためのスペクトルに関する情報を得る手段であって、該動作モードは、マクロ・セル制御された近傍ベース動作モードおよび小セル動作モードである、手段と、前記マクロ・セル制御された近傍ベース動作モードの発見プロセスを有効にするためのタイミング基準を決定する手段と、前記スペクトルの共用使用に関する情報を得る手段と、前記タイミング基準および共用使用に関して得られた前記情報に基づいて、前記小セル動作モードを制御する手段と、を備える装置が提供される。
【００２４】
本願発明の別の態様にしたがって、小セル動作モードとの共用スペクトルを使用する前記マクロ・セル制御された近傍ベース動作モードの発見プロセスを可能にするタイミング基準を決定する手段と、前記共用スペクトルを使用した、前記マクロ・セル制御された近傍ベース動作モードおよび小セル動作モードに比例した干渉に関して情報を得る手段と、前記タイミング基準および前記干渉に関する前記情報に基づいて、前記共用スペクトルを使用する前記マクロ・セル制御された近傍ベース動作モードを制御する手段と、を備える装置が提供される。
【００２５】
いくつかのさらなる例示的態様が、従属形式の請求項において述べられる。
【図面の簡単な説明】
【００２６】
本願発明のいくつかの実施形態が、添付の図面を参照して、例を示すだけのために、以下に記載される。ここで、
【図１】図１は、セルラ・ネットワークに統合された近傍ベース通信のコンセプトの例示する図を示す。
【図２】図２は、フローチャートを示す。
【図３】図３は、別のフローチャートを示す。
【図４】図４は、通信ネットワーク制御要素を例示する図を示す。
【図５】図５は、通信ネットワーク制御要素を例示する図を示す。
【発明を実施するための形態】
【００２７】
いくつかの実施形態が、特定の非限定的な例を参照して以下に記載される。当業者は、本願発明は、これらの例に決して限られておらず、さらに広く適用することができることを理解するであろう。
【００２８】
以下において、異なる例示的実施形態が、実施形態を適用できるアクセス・アーキテクチャの例として、ＬＴＥアドバンスト（ＬＴＥ−Ａ：ｌｏｎｇ  ｔｅｒｍ  ｅｖｏｌｕｔｉｏｎ  ａｄｖａｎｃｅｄ）に基づくラジオ・アクセス・アーキテクチャを使用して、記述される。しかしながら、そのようなアーキテクチャに本願実施形態を制限するものではない。本願実施形態が、また、適切にパラメータと手順を調節することによって適切な手段を有する他の種類の通信ネットワークに適用することができることは当業者に明らかである。適切なシステムのための他のオプションのいくつかの例は、ＵＴＲＡＮまたはＥ−ＵＴＲＡＮ（ｕｎｉｖｅｒｓａｌ  ｍｏｂｉｌｅ  ｔｅｌｅｃｏｍｍｕｎｉｃａｔｉｏｎｓ  ｓｙｓｔｅｍ  ｒａｄｉｏ  ａｃｃｅｓｓ  ｎｅｔｗｏｒｋ）、ＬＴＥ（ｌｏｎｇ  ｔｅｒｍ  ｅｖｏｌｕｔｉｏｎ、ＥＵＴＲＡと同じ）、無線ローカル・エリア・ネットワークネ（ＷＬＡＮまたはＷｉＦｉ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース（登録商標）、ＰＣＳ（ｐｅｒｓｏｎａｌ  ｃｏｍｍｕｎｉｃａｔｉｏｎｓ  ｓｅｒｖｉｃｅｓ）、ＺｉｇＢｅｅ（登録商標）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）ＵＷＢ（ｕｌｔｒａ−ｗｉｄｅｂａｎｄ）技術を使用するシステム、センサ・ネットワーク、ＭＡＮＥＴｓ（ｍｏｂｉｌｅ  ａｄ−ｈｏｃ  ｎｅｔｗｏｒｋｓ）、および、ＩＭＳ（Ｉｎｔｅｒｎｅｔ  Ｐｒｏｔｏｃｏｌ  ｍｕｌｔｉｍｅｄｉａ  ｓｕｂｓｙｓｔｅｍｓ）である。
【００２９】
以下では、本願発明の種々の例示的実施形態およびインプリメンテーション、および、その態様または実施形態が、いくつかの選択肢を使用して記述される。特定のニーズと制約にしたがって、記述された選択肢のすべてが、単独で提供されることができる、または、任意の考えられる組合せ（種々の選択肢の個々の特徴の組合せも含む）において、提供されることができることに一般的に留意する。
【００３０】
特に、以下の例および実施形態は、例を説明するだけとして理解されるべきものである。本願明細書において、いくつかの箇所で、「１つの（ａｎ、ｏｎｅ）」または、「いくつかの（ｓｏｍｅ）」例または実施形態として参照するけれども、これは、そのような参照の各々が、同一の例または実施形態に対してである、あるいは、その特徴が、単一の例あるいは実施形態にあてはまるだけであることを必ずしも意味するわけではない。異なる実施形態の単一の特徴は、また他の実施形態を提供するために結合することができる。
【００３１】
更にまた、「備える（ｃｏｍｐｒｉｓｉｎｇ）」および「含む（ｉｎｃｌｕｄｉｎｇ）」という単語は、記述された実施形態をここに述べられたそれらの特徴のみから成るものに制限するものではないことを理解されなければならない。かつ、そのような例および実施形態は、また、特に言及されなかった特徴、構造、ユニット、モジュールその他を含むこともできる。
【００３２】
例や実施形態が適用できる通信システムの基本的なシステムアーキテクチャは、有線または無線アクセス・ネットワーク・サブシステムおよびコア・ネットワークを備える１つ以上の通信ネットワークを備えることができる。そのようなアーキテクチャは、１つ以上の通信ネットワーク制御要素、アクセス・ネットワーク要素、ラジオ・アクセス・ネットワーク要素、アクセス・サービス・ネットワーク・ゲートウェイまたはベース・トランシーバを備えることができる。これらは、基地局（ＢＳ）、アクセス・ポイントまたはｅＮＢ、ホストまたはサーバなどである。それらは、それぞれのカバー領域またはセル（マクロ・セル、小セル）を制御し、ユーザ装置（ＵＥ）、ユーザ・デバイスなど１つ以上の通信要素または端子デバイス、または、ＵＥの一部であることもできる、または、別の要素としてＵＥに付属することができるモデム・チップセット、チップ、モジュール等同様の機能を有する別のデバイス、または、その他が、それらと、１つ以上のチャネルを介して、いくつかのタイプのデータを送信するために通信する能力がある。更にまた、ゲートウェイ・ネットワーク要素、ポリシーおよびチャージ制御ネットワーク要素、モビリティ管理エンティティ、運用およびメンテナンス要素、その他のコア・ネットワーク要素を、を備えることができる。
【００３３】
記述された要素の一般的な機能および相互接続は、また、実際のネットワーク・タイプに依存し、当業者に知られており、対応する仕様について記載される。ここでは、その詳しい説明は省略されるが、しかしながら、いくつかの追加的なネットワーク要素および信号伝達リンクは、ここにおいて以下で詳述するものの他に、ネットワークにおける通信のために使用することができることに留意すべきである。
【００３４】
その通信ネットワークは、また、一般加入電話網（ｐｕｂｌｉｃ  ｓｗｉｔｃｈｅｄ  ｔｅｌｅｐｈｏｎｅ  ｎｅｔｗｏｒｋ）またはインターネットなど、他のネットワークと通信することができる。その通信ネットワークは、クラウド・サービスの使用をサポートすることもできる。ＢＳｓや（ｅ）ＮＢｓ、または、それらの機能は、そのような使用のために適切な任意のノード、ホスト、サーバまたはアクセス・ノード等のエンティティにより、インプリメントすることができることが理解されるべきである。
【００３５】
端末デバイスまたはＵＥのようなユーザ・デバイスなどの記述されたネットワーク要素、ＢＳまたはｅＮＢのような、セルの通信ネットワーク制御要素、ＡＰｓのようなアクセス・ネットワーク要素その他は、ここに記述されるような対応する機能と並んで、ソフトウェアによって、例えば、コンピュータのためのコンピュータ・プログラム・プロダクトによって、および／または、ハードウェアによって、インプリメントすることができる。いかなるケースでも、それらのそれぞれの機能を実行するために、対応して使用されるデバイス、ノード、または、ネットワーク要素は、いくつかの手段、モジュール、ユニット、コンポーネント、その他（図示せず）を備えることができる。これらは、制御、処理や通信／信号伝達機能のために要求される。そのような手段、モジュール、ユニットおよびコンポーネントは、たとえば、命令やプログラムを実行するための、および／または、データを処理するための、１つ以上の処理部分、プロセッサまたは処理部のワーク領域など（例えば、ＲＯＭ、ＲＡＭ、ＥＥＰＲＯＭ）として役に立つストレージまたはメモリ・ユニット、または、命令、プログラムやデータを格納するための手段、ソフトウェアによってデータと命令とを入力するための入力またはインタフェース手段（例えば、フロッピー（登録商標）ディスク、ＣＤ−ＲＯＭ、ＥＥＰＲＯＭなど）、ユーザに対するモニターおよびの操作可能性を提供するためのユーザー・インタフェース（例えば、スクリーン、キーボードなど）、プロセッサ・ユニットまたは部分の制御の下でリンクや接続を確立するための他のインタフェースまたは手段（例えば、有線および無線インタフェース手段、例えばアンテナ・ユニットその他を備えるラジオ・インターフェース手段、ラジオ通信部分を形成する手段等）、その他を含む１つ以上のプロセッサまたはプロセッサ・ユニット、を備えることができる。ここで、ラジオ通信部分などのインタフェースを形成するそれぞれの手段は、また、リモート・サイト（例えば、ラジオ・ヘッドまたは無線局など）にあることもできる。本願明細書において、処理部は、１つ以上のプロセッサの物理的部分を表すとだけ考えるべきではなく、１つ以上のプロセッサにより実行される参照された処理タスクの論理的分割とも考えることができることに留意すべきである。
【００３６】
実施形態はヘテロジニアスなネットワーク構造においてインプリメント可能である。加えて、関係するネットワーク要素のいくつかは、例えば、デバイス・ツー・デバイス（Ｄ２Ｄ）または近傍サービス（ＰｒｏＳｅ）動作モードなど近傍ベース動作モードをサポートすることができる。
【００３７】
ヘテロジニアス・ネットワークは、マクロ・セル基地局（ＭＢＳ）、ＭｅＮＢ（ＬＴＥまたはＬＴＥ−Ａネットワークにおける）、および、自身の通信ネットワーク制御要素をも有する１つ以上の小セル、または、アクセス・ネットワーク要素（また、ＳＢＳ、ＳｅＮＢ、アクセス・ポイントＡＰなどと呼ばれる）の１つ以上の通信ネットワーク制御要素によって制御された１つ以上の主通信セル（すなわちマクロ・セル）を含むことができる。
【００３８】
ヘテロジニアス・ネットワーク構造は、たとえば、モビリティ管理と改善されたカバー領域に関してより大きな柔軟性を提供することを目標とされる。ここで、たとえば、マクロ・セルにおける通信から、小セルにオフロードする可能性は、１つのインプリメンテーション例である。いくつかの例にしたがって、小さなセルは、例えば、制御またはユーザ・データをも、またその他データ交換の大容量パスを提供するバックホール・ネットワークによってたとえば、マクロ・セルの通信ネットワーク制御要素に結合される。
【００３９】
「マクロ・セル」という用語は、通常、主ラジオ・カバー・インフラを提供しているアンブレラ・セル、または、そのようなセルを提供しているノードを意味する。
【００４０】
ここで、「小セル」と呼ばれるものは、通常、マクロ・セルよりも、より小さいサイズのものである。「小セル」という用語は、また、小セルを提供するラジオ・アクセス・ノードを意味することもできる。そのようなノードは、通常、マクロ・セルを提供しているノードに比較して低パワーである。小セルは、典型的には、拡張ラジオ能力を提供しているマクロ・セルの下で展開され、そして、それらは、オフロードの目的のために用いることができる。典型的な小セルは、フェムト（ｆｅｍｔｏ）−、ピコ（ｐｉｃｏ）−、または、マイクロセルである。
【００４１】
図１は、いくつかの要素と機能エンティティを示すだけの簡略化システムアーキテクチャまたはネットワーク構成の例を表す。これらすべては、論理ユニットであり、それらのインプリメンテーションは、示されたものとは異なることができる。図１に示される接続は、論理接続である。実際の物理接続は、異なることができる。システムは、また、図１に示されたものの他、他の機能や構造を典型的には備えることは、当業者には明らかである。この実施形態は、しかしながら、例として与えられたシステムに制限されるものではない。
【００４２】
図１において、例示的通信ネットワーク構成が、図示される。これは、たとえば、３ＧＰＰ仕様に基づいており、近傍ベース通信と並んで、主サーブ・セル（マクロ・セル）１０、および、１つ以上の二次セル（小セル）１１ー１３を含むヘテロジニアス・ネットワークの要素を備える。また、並列した（近隣）マクロ・セルおよび小セルが存在し得ることに留意すべきである。しかしながら、これらは、明快さの目的のために、省略された。
【００４３】
図１の例にしたがって、マクロ・セル１０にサーブするｅＮＢのようなノード１は、複数のユーザ・デバイス２−５と通信して、制御する。それらは、ノード１によってサーブされるセルに存在する。更に、いくつかのデバイス４、５、  ２、３は、互いに、加えて、または、別々に、直接通信することができる。それは、また、近傍ベース通信と呼ばれる。
【００４４】
図１に表されるように、小セル１１ー１３は、マクロ・セル１０のカバー領域にあり、かつ、（１→６）または、（１→７；１→８）は、マクロ・セルｅＮＢで直接インタフェースを有する。ユーザ・デバイスは、小セル１１−１３の近くにあることができ（４、５、３）、または、近くにあることができない（２）。
【００４５】
実施形態は、シナリオにおける動作オプションを提供する。ここで、ローカル領域小セル・モードおよびマクロ・セル制御された近傍ベース動作モード（Ｄ２Ｄ／ＰｒｏＳｅ動作モード）など、異なるローカル領域動作モードは、オーバーレイするマクロ・セル層に割り当てられたスペクトルとは異なる同一のスペクトルを共用する。１つの目標は、異なるローカル・エリア動作モードの間でラジオ・リソースの使用の調整を容易にすることである。
【００４６】
ローカル小セル動作モードは、マクロ・セル制御された近傍ベース動作モードより、共用スペクトルを使用するより高い優先度を有することができる。それは、マクロ・セル制御された近傍ベース・サービスは、小セルに対して干渉が起こされた場合には、共用スペクトルの上で動作させてはならないことを意味する。
【００４７】
近傍ベース・サービスまたは共用スペクトル上のＤ２Ｄ／ＰｒｏＳｅディスカバリを容易にするために、共用スペクトル上の周波数やタイム・ドメインにおける、共通Ｄ２Ｄ／ＰｒｏＳｅディスカバリ・リソースは、近傍ベース・サービスが、マクロ・ノードによって（すなわち、帯域外）、または、ローカル小セル・ノードによって（すなわち、帯域内）、制御されているかどうかに拘わらず規定することができることが理解されるべきである。近傍ベース・サービスがマクロ・ノードによって制御されているならば、れは、典型的には、マクロ・セル・スペクトルのものとは異なるスペクトル上で動作している。したがって、それは、制御ノードの立場から帯域外近傍ベース・サービスと呼ぶことができる。一方、近傍ベース・サービスが小セルによって制御されているならば、すなわち、それが共用スペクトル上で動作しているならば、それは、制御ノードの立場から帯域内近傍ベース・サービスと呼ぶことができる。
【００４８】
小セルを制御するノードのために適切である実施形態が、次に、図２の手段でより詳細に記述される。
【００４９】
この実施形態は、近傍ベース・サービスのディスカバリ・フェーズを制御するのに適切である。
【００５０】
ステップＳ２１において、サービス領域におけるローカル領域動作モードの共用使用のためのスペクトルに関する情報が、得られる、ここで、該動作モードは、マクロ・セル制御された近傍ベース動作モードおよび小セル動作モードである。
【００５１】
近傍ベース動作モードは、近傍サービス動作モードまたはデバイス・トゥー・デバイス（Ｄ２Ｄ）動作モードとも呼ばれる。近傍ベース通信において、ユーザ装置（ＵＥｓ）または利用者デバイスは、デバイスの間のダイレクト無線リンクを使用して、データ信号を送信することができ、および／または、データ信号を受信することができる。近傍ベース・サービスは、測位を使用する位置情報サービスに基づいてインプリメントすることができる。これらのアプリケーションの原理は、各々の互いの近傍の内にある、デバイス、サービスまたはアプリケーションをディスカバーすることと考えることができる。近傍ベース通信は、また、スペクトル効率を改善するために、のに使用することができる。
【００５２】
小セル動作モードは、問題になっている地理的領域における小セルのリソースを使用する「通常の」小セル動作モードであることができる。
【００５３】
スペクトルに関する情報を得ることは、小セルや近接ベース／Ｄ２Ｄ／ＰｒｏＳｅサービス・スペクトルが、割り当てられる、または、サービスが開始されたときに、一度だけスペクトルの情報を受信することにより実行されることができる。送信／受信を、現在の必要にしたがって、繰り返すことができる。あるいは、ディスカバリ・プロセスに関して実行されることができる。この場合、その情報は、タイミング基準で同一のメッセージにおいて、または、別々のメッセージを使用して、通信されることができる、または、その情報は、内部あるいは外部メモリから（たとえば、クラウド・サービスを使用して）読むことができる。
【００５４】
ステップＳ２２において、マクロ・セル制御された近傍ベース動作モードの発見プロセスを有効にするためのタイミング基準が、決定される。
【００５５】
１つの実施形態において、タイミング基準が、関係するマクロ・セルによって、または、別の選択されたマクロ・セルによって提供される。そして、それは、マクロ・セル・ダウンリンク・タイミングに基づくことができる。それは、その地理的領域に位置するすべての小セルおよびマクロ・セルに対する共通のタイミング基準として用いることができる。また、それは、近傍ベース・サービスを提供することができる。
【００５６】
非同期マクロ・セルおよび小セル層の場合には、小セルは、タイミング・オフセットを測定する役割を果たすことができる（それ自体で、または、１つ以上のユーザ・デバイスの支援で）。
【００５７】
マルチ・オペレータ・ケースにおいて、タイミング基準は、選択されたマクロ・セルのダウンリンク・タイミングに基づいている。この場合において、１つのオペレータのマクロ・セルを、主要タイミング基準を提供するために選択することができる。共通タイミング基準を、選択されたマクロ・セルのダウンリンク・タイミングによって提供することができる。別のオプションは、選択されたマクロ・セルを共用スペクトルの同期基準信号を送信するように構成することができることである。オペレータが、小セル層において、スペクトルを共用することができるが、そのマクロ・セル層上ではできないような場合に、マルチ・オペレータ共同プライマリ・シェアリングの使用シナリオのために適当であるオプションは、別のエンティティ、典型的には、共用小セルを提供している小セル・ノード、が、基準信号を送信することである。他のマクロ・セルおよび小セルは、マクロ・セルが、小セルと同じオペレータ・ネットワークにあるかどうかにかかわらず、ディスカバリ・プロセスのタイミングを規定するために、選択されたマクロ・セルのダウンリンク・タイミングまたは同期基準信号のいずれでも使用することができる。別のオプションは、他のオペレータのマクロ・セルは、それ自身のダウンリンク・タイミングと主タイミング基準との間のタイミング・オフセットを検出することができ、たとえば、そのカバー範囲の下でローカル・小セルにシステム情報をにブロードキャストすることによって、そのタイミング・オフセットを示すことができることである。それは、その小セルが、示されたタイミング・オフセット、および、オーバレイ・マクロ・セルのダウンリンク・タイミングに基づいて共通タイミング基準を導出することができるためである。
【００５８】
マルチ・オペレータ・ケースにおける、さらにもう１つのオプションは、サード・パーティ・タイミング基準（たとえば、グローバル・ポジショニング・システム（ＧＰＳ）信号に基づく）が、オペレータの間で、共通に同意されることができることである。各々のマクロおよび小さいセルは、サード・パーティ・タイミング基準に基づいて、近傍ベース・サービス・ディスカバリ・リソース予約のための共通タイミングを導出することができるあるいは、各々のオペレータのマクロ・セルは、サード・パーティ・タイミング基準とそれ自身のダウンリンク・タイミングとの間のタイミング・オフセットを計算することができ、上で提案されたように小セルのタイミング・オフセットを示すことができる。
【００５９】
ステップＳ２３において、スペクトルの共用使用の情報が得られる。
【００６０】
共用の情報は、共用使用の必要に関する情報であり得る。その情報は、小セル動作またはサービスが、マクロ・セル制御された近傍ベース・サービスよりも優先度を有し、干渉のリスクが存在する場合は、特に必要であり、一方、小セルは、一般にそのリソースの使用を制御できるようにするために共用使用のニーズに関する情報を必要とする。その情報は、また、干渉に関する情報であるか、それを含む。その情報は、近傍ベース・サービス・ディスカバリ・プロセスの要求であり得る。その情報は、信号伝達メッセージの形であることができる。
【００６１】
１つの実施形態において、マクロ・セルは、近傍ベース・サービスについて、ローカル小セルに通知することができ、その小セルが、マクロおよびローカル・セルの間での速い調整が可能である場合（例えば、マクロと小セルとの間でＸ２利用可能）には近傍ベース・サービスによって引き起こされた干渉のレベルを許容できるならば、そのセルにおいて、近傍ベース・サービスを保とうとすることができる。この目的のために、マクロ・セルは、周波数および／またはタイム・ドメインにおける、近傍ベース・サービスを使用している関連ユーザ・デバイスのリソース使用を強化することができ、ユーザ・デバイスを介して、または、それによって、干渉された小セルに使用されたリソースを示すことができ、進行中の近傍ベース通信が、現在のリソースを続けることができるかどうかの確認を待つことができる。あるいは、マクロ・セルは、オーバーロードまたは高い干渉標示の形で標示を与えることができる。このように、小セルは、それ自身のユーザ・デバイスの小セル・アクセスをスケジュールするときに、そのような標示を考慮に入れることができる。
【００６２】
ステップＳ２４において、小セル動作モードを、タイミング基準および共用使用に関して得られた情報に基づいて、制御することができる。
【００６３】
制御は、マクロ・セル制御された近傍ベース動作モードおよび小セル動作モードのディスカバリ・プロセスを調整することを含むことができる。制御は、マクロ・セル制御された動作モードから小セル制御動作モードへの近傍ベース動作のリダイレクションを受信することによって、または、干渉できるリソースの使用の標示を得て、その標示に基づいて、スペクトルやスケジューリング・リソースの共用使用可能性を通信することによって、マクロ・セル制御された近傍ベース動作モードと小セル動作モードとの間の共用スペクトルの干渉を調整することを含むことができる。標示を得ることは、マクロ・セル制御されたデバイス・トゥー・デバイス動作モードおよび／または、マクロ・セル制御された小セル動作モードに責任を持つマクロ・セルからメッセージを受信することによって、実行されることができる。
【００６４】
１つの実施形態において、小セルとマクロ・セル制御された近傍ベース・サービスと間のラジオ・リソース使用において可能性がある衝突を検出するために、ユーザ・デバイスは、共用スペクトルにある、近傍ベース・リンクまたは小セル・ラジオ・リンクのいずれについても経験した干渉またはリンク・パフォーマンスを測定し、報告するようにトリガーされる。たとえば、マクロ・セルと小セルとの間の速い調整機会（例えばＸ２インタフェース）が利用可能であるならば、小セルが、（共用スペクトルのアップリンク・スペクトルの上で近傍ベース・サービスが動作しているかを、小セルによって測定された、あるいは、共用スペクトルのダウンリンク・スペクトルの上で近傍ベース・サービスが動作しているかを、小セルＵＥによって報告された）特定のリソース・ブロックの上で高い干渉を経験するとき、それは、マクロ・セルに対して高度干渉リソース・ブロックを示すことができる。その標示に基づいて、マクロ・セルは、その小セルを検出するために、近傍サービスおよび同一のリソース・ブロックを使用してユーザ・デバイスを構成することができる。別の例として、近傍サービス通信または近傍サービス・リンク・パフォーマンスにおいて経験された干渉が、および／または、サービス品質が、悪化することが観察されるならば、近傍サービスを使用しているユーザ・デバイスは、マクロ・セルによって小セルを測定するように構成されることができる。この目的のために、１つ以上の閾値をセットすることができる。
【００６５】
図３において、上述の実施形態にしたがって小セル・ノードとして動作することができるネットワーク制御エンティティを図示している例示的図が、示される。そのエンティティは、ノード、ホストまたはサーバであることができる。ネットワーク制御エンティティ（図３の中の３０）は、ここで以下で記述されるものの他に更なる要素または機能を含むことができることに留意すべきである。更にまた、たとえ、基地局またｅＮＢを参照されたとしても、通信ネットワーク制御要素は、また、チップセット、チップモジュール等の同様の機能を有する別のデバイスであることができる。これらは、また、ノードの部分、または、ノードに分離した要素として取り付けられたもの、または、その他でありえる。各々のブロックとそのどんな組合せでも、例えば、ハードウェア、ソフトウェア、ファームウェア、１つ以上のプロセッサや回路など種々の手段、または、それらの組合せによりインプリメントすることができることが理解されるべきである。
【００６６】
図３に示される通信ネットワーク・エンティティは、処理機能、ＣＰＵまたはその他のコントロール・ユニットまたはプロセッサ３１を備えることができる。これらは、上述の実施形態を関するプログラム等により与えられた命令を実行するために適切である。プロセッサ３１は、以下に記述されるように特定の処理専用の１つ以上の処理部分を含むことができる。または、その処理は、単一のプロセッサにおいて動作することができる。そのような特定の処理を実行するための部分は、また、ＣＰＵのような１つの物理プロセッサなどにおける、または、たとえば、いくつかの物理エンティティにおける、離散的要素として、または、１つ以上のプロセッサに内部において、または、処理部において、提供することができる。参照記号３２および３３は、プロセッサ３１に接続しているトランシーバまたは入出力（Ｉ／Ｏ）ユニット（インタフェース）を示す。Ｉ／Ｏユニット３２は、ＵＥなど１つ以上の通信要素との通信に使用することができる。Ｉ／Ｏユニット３３は、例えば、小セル基地局ＳＢＳ、マクロ・セル基地局ＭＢＳ、または、その他、他の通信ネットワーク制御要素との通信に使用することができる。Ｉ／Ｏユニット３２および３３は、いくつかのネットワーク要素に向かう通信装置を備える組み合わせユニットであることができる。あるいは、異なるネットワーク要素のための複数の異なるインタフェースを有する分散構造を備えることができる。参照符号３４は、たとえば、データおよびプロセッサ３１によって実行されるプログラムを格納するのに使用可能な、および／または、プロセッサ３１の作業用ストレージとして使用可能なメモリを示す。
【００６７】
プロセッサ３１は、上述の実施形態に関係する処理を実行するように構成される特に、プロセッサ３１は、サービス・エリアにおけるローカル・エリア動作モードの共用使用のためのスペクトルに関する情報を得るために使用可能な第１の獲得部として下位部３１０を備えることができる。ここで、動作モードは、マクロ・セル制御された近傍ベース動作モードおよび小セル動作モードである。その部分３１０は、図２のＳ２１にしたがって、処理を実行するように構成することができる。更にまた、プロセッサ３１は、マクロ・セル制御された近傍ベース動作モードの発見プロセスを可能にするためのタイミング基準を決定する決定部として使用可能な下位部３１１を備えることができる。その部分３１１は、図２のＳ２２にしたがって、処理を実行するように構成することができる。更にまた、プロセッサ３１は、スペクトルの共用使用に関する情報を得るための第２の獲得部として使用可能な下位部３１２を備えることができる。その部分３１２は、図２のＳ２３にしたがって、処理を実行するように構成することができる。これに加えて、プロセッサ３１は、タイミング基準および共用使用に関して得られた情報に基づいて、小セル動作モードを制御するコントロール部として使用可能な下位部３１３を備えることができる。その部分３１３は、図２のＳ２４にしたがって、処理を実行するように構成することができる。
【００６８】
マクロ・セル・ノードとして動作するために適切な実施形態が、次に、図４の手段により、より詳細に記述される。
【００６９】
ステップＳ４１において、小セル動作モードとの共用スペクトルを使用する前記マクロ・セル制御された近傍ベース動作モードのディスカバリ・プロセスを可能にするためのタイミング基準が、決定される。
【００７０】
近傍ベース動作モードは、近傍サービス動作モードまたはデバイス・トゥー・デバイス（Ｄ２Ｄ）動作モードとも呼ばれる。近傍ベース通信において、ユーザ装置（ＵＥｓ）または利用者デバイスは、デバイスの間のダイレクト無線リンクを使用して、データ信号を送信することができ、および／または、データ信号を受信することができる。近傍ベース・サービスは、測位を使用する位置情報サービスに基づいてインプリメントすることができる。これらのアプリケーションの原理は、各々の互いの近傍の内にある、デバイス、サービスまたはアプリケーションをディスカバーすることと考えることができる。近傍ベース通信は、また、スペクトル効率を改善するために使用することができる。
【００７１】
小セル動作モードは、問題になっている地理的領域における小セルのリソースを使用する「通常の」小セル動作モードであることができる。
【００７２】
１つの実施形態において、タイミング基準は、マクロ・セルによって提供され、そして、それは、マクロ・セル・ダウンリンク・タイミングに基づくことができる。それは、その地理的領域に位置するすべての小セルおよびマクロ・セルに対する共通のタイミング基準として用いることができる。そして、それは、近傍ベース・サービスを提供することができる。
【００７３】
非同期マクロ・セルおよび小セル層の場合には、小セルは、タイミング・オフセットを測定する役割を果たすことができる（それ自体で、または、１つ以上のユーザ・デバイスの支援で）。この場合において、この決定することは、測定されたタイミング・オフセットを得ることおよび、それに基づいてタイミング基準を決定することを含むことができる。
【００７４】
マルチ・オペレータ・ケースにおいて、タイミング基準は、選択されたマクロ・セルのダウンリンク・タイミングに基づいている。この場合において、１つのオペレータのマクロ・セルを、主要タイミング基準を提供するために選択することができる。共通タイミング基準を、選択されたマクロ・セルのダウンリンク・タイミングによって提供することができる。別のオプションは、選択されたマクロ・セルを共用スペクトルの同期基準信号を送信するように構成することができることである。オペレータが、小セル層において、スペクトルを共用することができるが、そのマクロ・セル層上ではできないマルチ・オペレータ共同プライマリ・シェアリングの使用シナリオのために適当であるオプションは、別のエンティティ、典型的には、共用小セルを提供している小セル・ノード、が、基準信号を送信することである。他のマクロ・セルおよび小セルは、マクロ・セルが、小セルと同じオペレータ・ネットワークにあるかどうかにかかわらず、ディスカバリ・プロセスのタイミングを規定するために、選択されたマクロ・セルのダウンリンク・タイミングまたは同期基準信号のいずれでも使用することができる。別のオプションは、他のオペレータのマクロ・セルは、それ自身のダウンリンク・タイミングと主タイミング基準との間のタイミング・オフセットを検出することができ、および、たとえば、そのカバー範囲の下でローカル・小セルにシステム情報をにブロードキャストすることによって、そのタイミング・オフセットを示すことができることである。それは、その小セルが、示されたタイミング・オフセット、および、オーバレイ・マクロ・セルのダウンリンク・タイミングに基づいて共通タイミング基準を導出することができるためである。
【００７５】
マルチ・オペレータ・ケースにおける、さらにもう１つのオプションは、サード・パーティ・タイミング基準（グローバル・ポジショニング・システム（たとえば、ＧＰＳ）信号に基づく）が、オペレータの間で、共通に同意されることができることである。各々のマクロおよび小さいセルは、サード・パーティ・タイミング基準に基づいて、近傍ベース・サービス・ディスカバリ・リソース予約のための共通タイミングを導出することができるあるいは、各々のオペレータのマクロ・セルは、サード・パーティ・タイミング基準とそれ自身のダウンリンク・タイミングとの間のタイミング・オフセットを計算することができ、上で提案されたように、小セルにタイミング・オフセットを示すことができる。
【００７６】
ステップＳ４２において、前記共用スペクトルを使用した、前記マクロ・セル制御された近傍ベース動作モードおよび小セル動作モードに比例した干渉に関する情報を、得ることができる。
【００７７】
１つの実施形態において、小セルとマクロ・セル制御された近傍べース・サービスとの間のラジオ・リソースの使用において、可能性がある衝突を検出するために、ユーザ・デバイスは、共用スペクトルにある、近傍ベース・リンクまたは小セル・ラジオ・リンクのいずれについても経験した干渉またはリンク・パフォーマンスを測定し、報告するようにトリガーされる。たとえば、マクロ・セルと小セルとの間の速い調整機会（例えばＸ２インタフェース）が利用可能であるならば、小セルが、（共用スペクトルのアップリンク・スペクトルの上で近傍ベース・サービスが動作しているかを、小セルによって測定された、または、共用スペクトルのダウンリンク・スペクトルの上で近傍ベース・サービスが動作しているかを、小セルＵＥによって報告された）特定のリソース・ブロックの上で高い干渉を経験するとき、それは、マクロ・セルに対して高度干渉リソース・ブロックを示すことができる。その標示に基づいて、マクロ・セルは、その小セルを検出するために、近傍サービスおよび同一のリソース・ブロックを使用してユーザ・デバイスを構成することができる。別の例として、近傍サービス通信または近傍サービス・リンク・パフォーマンスにおいて経験された干渉が、および／または、サービス品質が、悪化することが観察されるならば、近傍サービスを使用しているユーザ・デバイスは、マクロ・セルによって小セルを測定するように構成されることができる。この目的のために、１つ以上の閾値をセットすることができる。干渉に関する情報は、小セル・ノードを介しての、または、直接のユーザ・デバイスからのレポートであることができる。そして、それは、ユーザ・デバイスの近傍ベース・サービスの能力に関する、そして、可能ならマクロ・セルと小セルとの間の調整機会（例えば、Ｘ２が利用可能であるか）にも関する情報を更に含むことができる。
【００７８】
ステップＳ４３において、前記共用スペクトルを使用した、前記マクロ・セル制御された近傍ベース動作モードが、タイミング基準と干渉に関する情報とに基づいて制御される。
【００７９】
その制御は、前記マクロ・セル制御された近傍ベース動作モードを共用スペクトルから他のスペクトルに、または、通常のセルラ動作モードにスイッチすること、近傍ベース動作を、前記マクロ・セル制御された近傍ベース動作モードから小セル制御近傍ベース動作モードに、スペクトル変更することなく、リダイレクトすること、または、前記スペクトル上の前記マクロ・セル制御された近傍ベース動作モードの前記小セル動作モードを制御している前記小セル、および／または、干渉することができるリソースの使用を示すこと、による、マクロ・セル制御された近傍ベース動作モードと小セル動作モードとの間の干渉調整を実行することを含むことができる。
【００８０】
１つの実施形態において、マクロ・セルは、共用帯域の上のマクロ・セル制御された近傍ベース・サービスと小セル動作との間での干渉を調整するために以下のアクションのうちの少なくとも１つを開始することができる。
【００８１】
−  マクロ・セルは、近傍ベース・サービスを帯域外から帯域内にスイッチすること、または、ローカル小セルとの調整が可能でないならば、通常のセルラ・サービスへ戻すようにスイッチすることさえも決定することができる。
【００８２】
−  マクロ・セルは、近傍ベース・サービスを使用するユーザ・デバイスを、小セルの制御の下で構成されるように、しかし、共用スペクトルの上で近傍ベース・サービス通信を続けるように決定することができる。それは、近傍ベース・サービスと小セル動作との間でのリソースの使用の調整を容易にするために、共用スペクトルのリソース使用が、単一のエンティティの制御の下にあるようにするためである。この小セルが近傍ベース・サービスをサポートし、および、近傍ベース・サービスを使用するすべてのユーザ・デバイスが、小セルにアクセスすることができるならば、このアクションを適用することができる。
【００８３】
−  マクロ・セルは、近傍ベース・サービスについてローカル小セルに通知し、そして、その小セルが、マクロおよびローカル・セルの間の速い調整が可能である（例えば、マクロと小セルとの間でＸ２利用可能）場合は、近傍ベース・サービスによって引き起こされた干渉のレベルを許容できるならば、そのセルにおいて、近傍ベース・サービスを保とうとすることを決定することができる。この目的のために、マクロ・セルは、周波数および／またはタイム・ドメインにおける、近傍ベース・サービスを使用している関連ユーザ・デバイスのリソース使用を強化することができ、ユーザ・デバイスを介して、または、それによって、干渉された小セルに使用されたリソースを示すことができ、そして、進行中の近傍ベース通信が、現在のリソースを続けることができるかどうかの確認を待つことができる。あるいは、マクロ・セルは、オーバーロードまたは高い干渉標示の形で標示を与えることができる。このように、小セルは、それ自身のユーザ・デバイスの小セル・アクセスをスケジュールするときに、そのような標示を考慮に入れることができる。
【００８４】
図５において、マクロ・セル・ノードとしての働きをするために適切なネットワーク制御エンティティの構成を図示している例示的図が、示される。これは、上述の実施形態をインプリメントするように構成される。このエンティティは、ノード、ホストまたはサーバであることができる。ネットワーク制御エンティティは、図５において示されるノード５０のように、ここで、以下で記述されるものの他に更なる要素または機能を含むことができることに留意すべきである。加えて、たとえ、基地局またｅＮＢを参照されたとしても、通信ネットワーク制御要素は、また、チップセット、チップモジュール等の同様の機能を有する別のデバイスであることができる。これらは、また、ノードの一部であることもできる、または、別の要素としてノードに付属することができる、または、その他であることもできる。各々のブロックとそのどんな組合せでも、例えば、ハードウェア、ソフトウェア、ファームウェア、１つ以上のプロセッサや回路など種々の手段、または、それらの組合せによりインプリメントすることができることが理解されるべきである。
【００８５】
図５に示されるネットワーク制御エンティティは、処理機能、コントロール・ユニット、または、ＣＰＵまたはその他のプロセッサ５１を備えることができる。これらは、上述の実施形態を関するプログラム等により与えられた命令を実行するために適切である。プロセッサ５１は、以下に記述されるように特定の処理専用の１つ以上の処理部分を含むことができる。あるいは、その処理は、単一のプロセッサにおいて動作することができる。そのような特定の処理を実行するための部分は、また、たとえば、ＣＰＵのような１つの物理プロセッサなどにおける、または、いくつかの物理エンティティにおける、離散的要素として、または、１つ以上のプロセッサに内部において、または、処理部において提供することができる。参照記号５２および５３は、プロセッサ５１に接続しているトランシーバまたは入出力（Ｉ／Ｏ）ユニット（インタフェース）を示す。Ｉ／Ｏユニット５２は、ＵＥなど１つ以上の通信要素との通信に使用することができる。Ｉ／Ｏユニット５３は、例えば、ＭＢＳ、ＳＢＳ、または、その他、他の通信ネットワーク制御要素との通信に使用することができる。Ｉ／Ｏユニット５２および５３は、いくつかのネットワーク要素に向かう通信装置を備える組み合わせユニットであることができる。または、異なるネットワーク要素のための複数の異なるインタフェースを有する分散構造を備えることができる。参照符号５４は、たとえば、データおよびプロセッサ５１によって実行されるプログラムを格納するために使用可能な、および／または、プロセッサ５１の作業用ストレージとして使用可能なメモリを示す。
【００８６】
プロセッサ５１は、上述の実施形態に関係した処理を実行するように構成される。特に、プロセッサ５１は、小セル動作モードとの共用スペクトルを使用する前記マクロ・セル制御された近傍ベース動作モードの発見プロセスを可能にするためのタイミング基準を決定するのに使用可能な決定部として下位部分５１０を備える。その部分５１０は、図４のＳ４１にしたがって、処理を実行するように構成することができる。加えて、プロセッサ５１は、前記共用スペクトルを使用する前記マクロ・セル制御された近傍ベース動作モードおよび小セル動作モードに比例した干渉に関して情報を得る部分として使用可能な下位部分５１  １を備える。部分５１１は、図４のＳ４２にしたがって、処理を実行するように構成することができる。加えて、プロセッサ５１は、前記タイミング基準および前記干渉に関する前記情報に基づいて、前記共用スペクトルを使用する前記マクロ・セル制御された近傍ベース動作モードを制御するコントロール部として使用可能な下位部分５１２を備える。その部分５１２は、図４のＳ４３にしたがって、処理を実行するように構成することができる。
【００８７】
以下のことが理解されるべきである。
【００８８】
−  それを介して信号伝達がネットワーク要素へ／から行われるアクセス技術は、ＷＬＡＮ（Ｗｉｒｅｌｅｓｓ  Ｌｏｃａｌ  Ａｃｃｅｓｓ  Ｎｅｔｗｏｒｋ）、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＬＴＥ、ＬＴＥ−Ａ、ブルートゥース（登録商標）、赤外線、その他の任意の適切な存在する、または、将来の技術であり得る。加えて、実施形態はまた、有線技術、例えば、ケーブル・ネットワークまたは固定ラインのようなＩＰベース・アクセス技術を適用することができる。
【００８９】
−  ユーザ・デバイス（ＵＥとも呼ばれる、ユーザ機器、ユーザー端末、端末デバイスその他）は、エアー・インタフェース上のリソースを配置し、割り当てることができる装置の１つのタイプを図示する。よって、ここに記述されたユーザ・デバイスのいかなる特徴も、リレー・ノードなど対応する装置でインプリメントすることができる。そのようなリレー・ノードの例は、基地局またはｅＮＢに対するレイヤ３リレー（自己バックホール・リレー）である。このユーザ・デバイスは、典型的には、加入者識別モジュール（ＳＩＭ）で、または、なしで動作する無線モバイル通信デバイスを含むポータブル・コンピューティング・デバイスと呼ばれる。これは、モバイル局（携帯電話）、スマートフォン、パーソナル携帯情報機器（ＰＤＡ）、ハンドセット、無線モデムを使用するデバイス（アラームまたは測定デバイス等）、ラップトップやタッチ・スクリーン・コンピュータ、タブレット、ゲーム機、ノートブック、およびマルチメディア・デバイスの、デバイスのタイプを含む。しかしながら、それらに限られるものではない。ユーザ・デバイスは、また、ほとんど排他的なアップリンクのみのデバイスであることができることが理解されるべきである。その例は、ネットワークへのカメラまたはビデオカメラ・ローディング画像、または、ビデオ・クリップ、または、ポータブル・ビデオ・プレーヤーなどのほとんど排他的なダウンリンクのみのデバイスであることができる。デバイスは、１つの装置として、または、互いと機能的に協働しているか、または、機能的に互いに独立しているが、同じデバイス・ハウジングにあるかどうかにかかわらず複数の装置のアセンブリとしてみなすことができることが理解されるべきである。
【００９０】
−  ソフトウェア・コードとしてインプリメントされるのに適切な実施形態、または、その部分、および、プロセッサを使用して動作することは、ソフトウェア・コードに独立であり、そして、任意の既知の、あるいは、将来開発されるプログラミング言語を使用して特定することができる。オブジェクティブ−Ｃ、Ｃ、Ｃ＋＋、Ｃ＃、Ｊａｖａ（登録商標）、その他の高級プログラミング言語など、あるいは、マシン語、または、アセンブラなどの低レベル・プログラミング言語である。
【００９１】
−  実施形態のインプリメンテーションは、ハードウェアに依存しないものであり、任意の既知の、あるいは、将来開発されるハードウェア技術または、マイクロプロセッサまたはＣＰＵ（中央処理装置）、ＭＯＳ（Ｍｅｔａｌ  Ｏｘｉｄｅ  Ｓｅｍｉｃｏｎｄｕｃｔｏｒ）、ＣＭＯＳ（Ｃｏｍｐｌｅｍｅｎｔａｒｙ  ＭＯＳ）、バイポーラＭＯＳ（ＢｉＭＯＳ：Ｂｉｐｏｌａｒ  ＭＯＳ）、バイポーラＣＭＯＳ（ＢｉＣＭＯＳ：Ｂｉｐｏｌａｒ  ＣＭＯＳ）、ＥＣＬ（Ｅｍｉｔｔｅｒ  Ｃｏｕｐｌｅｄ  Ｌｏｇｉｃ）、および／または、ＴＴＬ（Ｔｒａｎｓｉｓｔｏｒ−Ｔｒａｎｓｉｓｔｏｒ  Ｌｏｇｉｃ）などそれらのハイブリッドを使用してインプリメントすることができる。
【００９２】
−  実施形態は個々のデバイス、装置、ユニットまたは手段として、あるいは、分散形式で、インプリメントすることができる。たとえば、１つ以上のプロセッサを、処理において、使用または共用することができる。または、１つ以上の処理セクションまたは処理部を、処理において、使用または共用することができる。ここで、１つの物理プロセッサまたは複数の物理プロセッサを、記載したような特定の処理に専用の１つ以上の処理部分をインプリメントするために使用することができる。
【００９３】
−  装置は、半導体チップ、チップセット、または、そのようなチップまたはチップセットを備える（ハードウェア）モジュールで、インプリメントすることができる。
【００９４】
−  実施形態はまた、ＡＳＩＣ（Ａｐｐｌｉｃａｔｉｏｎ  Ｓｐｅｃｉｆｉｃ  ＩＣ  （Ｉｎｔｅｇｒａｔｅｄ  Ｃｉｒｃｕｉｔ））コンポーネント、ＦＰＧＡ（Ｆｉｅｌｄ−ｐｒｏｇｒａｍｍａｂｌｅ  Ｇａｔｅ  Ａｒｒａｙｓ）またはＣＰＬＤ（Ｃｏｍｐｌｅｘ  Ｐｒｏｇｒａｍｍａｂｌｅ  Ｌｏｇｉｃ  Ｄｅｖｉｃｅ）コンポーネント、または、ＤＳＰ（Ｄｉｇｉｔａｌ  Ｓｉｇｎａｌ  Ｐｒｏｃｅｓｓｏｒ）コンポーネントなどのハードウェアおよびソフトウェアの任意の組合せとしてインプリメントすることができる。
【００９５】
−  実施形態はまた、その中で具体化されたコンピュータ読取り可能プログラム・コードを有するコンピュータ使用可能なメディアを備えるコンピュータ・プログラム・プロダクトとしてインプリメントすることができる。そのコンピュータ読取り可能なプログラム・コードは、実施形態において記載したように、プロセスを実行するのに適切である。ここで、計算機使用可能メディアは、固定媒体であり得る。
【００９６】
必要に応じて、ここに議論される異なる機能を、互いに、異なる順序で、および／または、並行して実行することができる。更にまた、必要に応じて、上記の機能のうちの１つ以上は、オプションでありえる、または、結合されることができる。
【００９７】
本願発明の種々の態様が、独立形式の請求項において述べられるけれども、本願発明の他の態様は、記述された実施形態、および／または、独立形式の請求項の特徴を有する従属形式の請求項からの、特徴の他の組合せを含む。また、請求項において単に明示的に述べられる組合せだけではない。
【００９８】
本願発明の例の実施形態を上で記述しているが、これらの記載は、限定的なものと見られてはならないことにも、また、留意する。むしろ、添付の請求項において規定されるように、本願発明の範囲を逸脱することなく作ることができるいくつかのバリエーションおよび修正が存在する。
【００９９】
この明細書において使用される略語の以下の意味が適用される。
【０１００】
３ＧＰＰ：第３世代移動体通信システム標準化プロジェクト（３ｒｄ  Ｇｅｎｅｒａｔｉｏｎ  Ｐａｒｔｎｅｒｓｈｉｐ  Ｐｒｏｊｅｃｔ）
Ｄ２Ｄ：デバイス・トゥー・デバイス（Ｄｅｖｉｃｅ  ｔｏ  Ｄｅｖｉｃｅ）
ＤＬ：ダウンリンク（ＤｏｗｎＬｉｎｋ）
ｅＮＢ：ＬＴＥ無線基地局装置（ｅｖｏｌｖｅｄ  Ｎｏｄｅ  Ｂ、ｂａｓｅ  ｓｔａｔｉｏｎ  ｉｎ  ＬＴＥ）
Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ
ＨＯ：ハンドオーバ（Ｈａｎｄｏｖｅｒ）
ＬＴＥ：Ｌｏｎｇ  Ｔｅｒｍ  Ｅｖｏｌｕｔｉｏｎ
ＭＢＳ：Ｍａｃｒｏ  ｃｅｌｌ  ｂａｓｅ  ｓｔａｔｉｏｎ
ＰｒｏＳｅ：近接サービス（Ｐｒｏｘｉｍｉｔｙ  Ｓｅｒｖｉｃｅ）
ＳＢＳ：小セル基地局（Ｓｍａｌｌ  ｃｅｌｌ  ｂａｓｅ  ｓｔａｔｉｏｎ）
ＵＥ：ユーザ装置（Ｕｓｅｒ  Ｅｑｕｉｐｍｅｎｔ）
ＵＬ：アップリンク（ＵｐＬｉｎｋ）
【図１】
2016541159.tif 000003
【図２】
2016541159.tif 000004
【図３】
2016541159.tif 000005
【図４】
2016541159.tif 000006
【図５】
2016541159.tif 000007
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
サービス・エリアにおけるローカル・エリア動作モードの共用使用のためのスペクトルに関する情報を得るステップであって、該ローカル・エリア動作モードは、マクロ・セル制御された近傍ベース動作モードおよび小セル動作モードである、ステップと、マクロ・セル制御された近傍ベース動作モードの発見プロセスを可能にするタイミング基準を決定するステップと、
前記スペクトルの共用使用に関する情報を得るステップと、
前記タイミング基準および共用使用に関して得られた前記情報に基づいて、前記小セル動作モードを制御するステップと、
を含む方法。
【請求項２】
前記小セル動作モードは、前記マクロ・セル制御された近傍ベース動作モードに関して共用スペクトルを使用する優先度を有する、請求項１に記載の方法。
【請求項３】
前記制御するステップは、前記マクロ・セル制御された近傍ベース動作モードおよび小セル動作モードの前記発見プロセスをコーディネートするステップを含む、請求項１または２に記載の方法。
【請求項４】
前記制御するステップは、
近傍ベース動作のマクロ・セル制御された動作モードから小セル制御動作モードへのダイレクションを受信すること、または、標示に基づいて、スペクトルおよび／またはスケジューリング・リソースについての共用使用の可能性を仲裁し、通信することができるリソースの使用の標示を得ることにより、前記マクロ・セル制御された近傍ベース動作モードと前記小セル動作モードとの間の前記共用スペクトルの干渉をコーディネートするステップを含む、請求項２に記載の方法。
【請求項５】
前記タイミング基準は、マクロ・セルのダウンリンク・タイミングに基づいている、請求項１ないし４のいずれか１項に記載の方法。
【請求項６】
マルチ・オペレータ・ケースにおいて、前記タイミング基準は、選択されたマクロ・セルのダウンリンク・タイミングに基づいている、請求項１ないし５のいずれか１項に記載の方法。
【請求項７】
前記タイミング基準は、前記スペクトルの上の同期基準信号を測定することに基づいている、請求項１ないし６のいずれか１項に記載の方法。
【請求項８】
前記スペクトルの上のラジオ・リソース使用を測定し、レポートすることをユーザに命じるステップと、
前記スペクトルの上の前記ラジオ・リソース使用をマクロ・セルに通信するステップと、
を更に含む、請求項１ないし７のいずれか１項に記載の方法。
【請求項９】
少なくとも１つのプロセッサと、該プロセッサによって実行される命令を格納するための少なくとも１つのメモリとを備える装置であって、
前記少なくとも１つのメモリと、前記命令とは、前記少なくとも１つのプロセッサにより、前記装置に、少なくとも、
サービス・エリアにおけるローカル・エリア動作モードの共用使用のためのスペクトルに関する情報を得ることをさせ、ここで、該ローカル・エリア動作モードは、マクロ・セル制御された近傍ベース動作モードおよび小セル動作モードであり、
マクロ・セル制御された近傍ベース動作モードの発見プロセスを可能にするタイミング基準を決定させ、
前記スペクトルの共用使用に関する情報を得させ、前記タイミング基準および共用使用に関して得られた前記情報に基づいて、前記小セル動作モードを制御させる
ように構成される、装置。
【請求項１０】
前記小セル動作モードは、前記マクロ・セル制御された近傍ベース動作モードに関して共用スペクトルを使用する優先度を有する、請求項９に記載の装置。
【請求項１１】
前記少なくとも１つのメモリおよび前記命令は、さらに、前記少なくとも１つのプロセッサで、前記装置に、少なくとも、前記マクロ・セル制御された近傍ベース動作モードおよび小セル動作モードの前記発見プロセスをコーディネートすることを制御させるように構成される、請求項９ないし１０のいずれか１項に記載の装置。
【請求項１２】
前記少なくとも１つのメモリおよび前記命令は、さらに、前記少なくとも１つのプロセッサで、前記装置に、少なくとも、
近傍ベース動作のマクロ・セル制御された動作モードから小セル制御動作モードへのダイレクションを受信すること、または、
標示に基づいて、スペクトルおよび／またはスケジューリング・リソースについての共用使用の可能性を仲裁し、通信することができるようなリソースの使用の標示を得ることにより、
前記マクロ・セル制御された近傍ベース動作モードと前記小セル動作モードとの間の前記共用スペクトルの干渉をコーディネートすることを制御させるように構成される、請求項１０のいずれか１項に記載の装置。
【請求項１３】
前記タイミング基準は、マクロ・セルのダウンリンク・タイミングに基づいている、請求項９ないし１２のいずれか１項に記載の装置。
【請求項１４】
マルチ・オペレータ・ケースにおいて、前記タイミング基準は、選択されたマクロ・セルのダウンリンク・タイミングに基づいている、請求項９ないし１３のいずれか１項に記載の装置。
【請求項１５】
前記タイミング基準は、前記スペクトルの上の同期基準信号を測定することに基づいている、請求項９ないし１４のいずれか１項に記載の装置。
【請求項１６】
前記少なくとも１つのメモリおよび前記命令は、さらに、前記少なくとも１つのプロセッサで、前記装置に、少なくとも、
前記スペクトルの上のラジオ・リソース使用を測定し、レポートすることをユーザに命じさせ、前記スペクトルの上の前記ラジオ・リソース使用をマクロ・セルに通信させるように構成される、請求項９ないし１５のいずれか１項に記載の装置。
【請求項１７】
小セル動作モードと共用スペクトルを使用するマクロ・セル制御された近傍ベース動作モードの発見プロセスを可能にするタイミング基準を決定するステップと、
前記共用スペクトルを使用する、マクロ・セル制御された近傍ベース動作モードおよび小セル動作モードに比例した干渉に関して情報を得るステップと、
前記タイミング基準および前記干渉に関する情報に基づいて、前記共用スペクトルを使用する前記マクロ・セル制御された近傍ベース動作モードを制御するステップと、
を含む方法。
【請求項１８】
前記共用スペクトルの使用に関する情報を得るステップと、
制御目的のために前記共用スペクトルの使用に関する情報を通信するステップと、
を更に含む請求項１７に記載の方法。
【請求項１９】
前記タイミング基準は、制御することに責任を持つ前記マクロ・セルのダウンリンク・タイミングに基づいている、請求項１７または１８に記載の方法。
【請求項２０】
マルチ・オペレータ・ケースにおいて、前記タイミング基準は、複数のマクロ・セルから選択された１つのマクロ・セルのダウンリンク・タイミングに基づいている、請求項１７または１８に記載の方法。
【請求項２１】
近傍ベース通信ができるユーザ・デバイスおよび／または小セル・ノードに、前記共用スペクトルの上のラジオ・リソース使用を測定し、報告することを命じるステップを更に含む請求項１７ないし１９のいずれか１項に記載の方法。
【請求項２２】
前記マクロ・セル制御された近傍ベース動作モードを共用スペクトルから他のスペクトルに、または、通常のセルラ動作モードにスイッチすること、近傍ベース動作を、前記マクロ・セル制御された近傍ベース動作モードから小セル制御近傍ベース動作モードに、スペクトル変更することなく、リダイレクトすること、または、前記スペクトルの上の前記マクロ・セル制御された近傍ベース動作モードの前記小セル動作モードを制御している小セル、および／または、干渉することができるリソースの使用を示すこと、により、前記マクロ・セル制御された近傍ベース動作モードと前記小セル動作モードとの間の干渉調整を実行するステップを更に含む請求項１７ないし２１のいずれか１項に記載の方法。
【請求項２３】
少なくとも１つのプロセッサと、該プロセッサによって実行される命令を格納するための少なくとも１つのメモリとを備える装置であって、
前記少なくとも１つのメモリと、前記命令とは、前記少なくとも１つのプロセッサで、前記装置に、少なくとも、
小セル動作モードとの共用スペクトルを使用するマクロ・セル制御された近傍ベース動作モードの発見プロセスを可能にするタイミング基準を決定させ、
前記共用スペクトルを使用した、前記マクロ・セル制御された近傍ベース動作モードおよび小セル動作モードに比例した干渉に関する情報を得ることをさせ、
前記タイミング基準および前記干渉に関する前記情報に基づいて、前記共用スペクトルを使用する前記マクロ・セル制御された近傍ベース動作モードを制御させる
ように構成される、装置。
【請求項２４】
前記少なくとも１つのメモリおよび前記命令は、さらに、前記少なくとも１つのプロセッサにより、前記装置に、少なくとも、前記共用スペクトルの前記使用に関する情報を得ることをさせ、制御目的のために、前記共用スペクトルの使用に関する情報を通信させるように構成される、請求項２３に記載の装置。
【請求項２５】
前記タイミング基準は、制御することに責任を持つ前記マクロ・セルのダウンリンク・タイミングに基づいている、請求項２３または２４に記載の装置。
【請求項２６】
マルチ・オペレータ・ケースにおいて、前記タイミング基準は、複数のマクロ・セルから選択された１つのマクロ・セルのダウンリンク・タイミングに基づいている、請求項２３ないし２４のいずれか１項に記載の装置。
【請求項２７】
前記少なくとも１つのメモリおよび前記命令は、さらに、前記少なくとも１つのプロセッサで、前記装置に、少なくとも、近傍ベース通信ができるユーザ・デバイスおよび／または小セル・ノードに、前記共用スペクトルの上のラジオ・リソース使用を測定し、報告することを命じさせるように構成される、請求項２３ないし２６のいずれか１項に記載の装置。
【請求項２８】
前記少なくとも１つのメモリおよび前記命令は、さらに、前記少なくとも１つのプロセッサで、前記装置に、少なくとも、
前記マクロ・セル制御された近傍ベース動作モードを共用スペクトルから他のスペクトルに、または、通常のセルラ動作モードにスイッチすること、近傍ベース動作を、前記マクロ・セル制御された近傍ベース動作モードから小セル制御近傍ベース動作モードに、スペクトル変更することなく、リダイレクトすること、または、前記スペクトルの上の前記マクロ・セル制御された近傍ベース動作モードの前記小セル動作モードを制御している小セル、および／または、干渉することができるリソースの使用を示すこと、により、前記マクロ・セル制御された近傍ベース動作モードと前記小セル動作モードとの間の干渉調整を実行させるように構成される、請求項２３ないし２７のいずれか１項に記載の装置。
【請求項２９】
コンピュータ上で動作するとき、請求項１ないし８のいずれか１項に記載の、あるいは、請求項１７ないし２２のいずれか１項に記載のステップを実行するためのソフトウェア・コード部分を備えるコンピュータのコンピュータ・プログラム。
【請求項３０】
前記コンピュータ・プログラムは、前記ソフトウェア・コード部が格納されるコンピュータ読取り可能メディアを備える、および／または、前記コンピュータ・プログラム・プロダクトは、前記コンピュータの内蔵メモリに直接ロード可能である、および／または、ネットワークを介して、アップロード、ダウンロード、および、プッシュ手続きのうちの少なくとも１つの手段により送信可能である、請求項２９に記載のコンピュータ・プログラム。
【国際調査報告】
2016541159.tif 000008
2016541159.tif 000009
2016541159.tif 000010
2016541159.tif 000011